(57)【特許請求の範囲】
【請求項１】
ビル、集合住宅などの出入口の電気錠を施、解錠するカードリーダと、各室の入室用鍵を保管した鍵保管ボックスとを通信線で接続して構成されたカードリーダ鍵管理システムにおいて、
上記カードリーダにＩＤコードを読取走査させ、ＩＤコードの登録を確認したときに、そのカードリーダから入室すべき室への進路途上に鍵保管ボックスが設置されていないときには、電気錠による解錠を禁止するようにしているカードリーダ鍵管理システム。
【請求項２】
請求項１において、
上記カードリーダは、ＩＤカードを読取走査し、ＩＤコードの登録を確認して上記電気錠による解錠を禁止した後には、解錠操作指示手段を作動し、あるいは解錠操作を教示するメッセージを表示する構成としているカードリーダ鍵保管システム。
【請求項３】
請求項２において、
上記カードリーダは、ＩＤカードを読取走査し、ＩＤコードの登録を確認して電気錠による解錠を禁止した後には、音声メッセージによって電気錠を解錠させる操作手順を教示するようにしたカードリーダ鍵管理システム。
【発明の詳細な説明】
【０００１】
【発明の属する技術分野】
【０００２】
本発明は、ビル、集合住宅などの出入口の電気錠を、ＩＤカードを読取走査することによって施、解錠するカードリーダと、各室の入室用鍵を保管した鍵保管ボックスとを通信線で接続して構成されたカードリーダ鍵管理システムに関する。
【従来の技術】
【０００３】
近時においては、ビルや集合住宅等の出入口の電気錠を、ＩＤカードを読取走査することによって施、解錠するカードリーダを、鍵保管ボックスを備えた鍵保管装置に接続し、各室の入室用鍵を鍵保管ボックスの小扉内に保管収納して、集中管理するカードリーダ鍵管理システムが設置されるようになってきている。
【０００４】
このカードリーダ鍵管理システムでは、図９に示すように、鍵保管装置１０は、各々に小扉１１を設けた鍵の保管収容部を複数個配設して構成した鍵保管ボックス１２を有し、その側方に、カードリーダ部１３とテンキー等の操作部１４を設けており、ＩＤカードをカードリーダ部１３に挿入することによってＩＤカードに記憶されたＩＤコードを読み取り、このＩＤコードと操作部１４から入力される暗証コードを、鍵保管装置１０内部に記憶されている設定情報に照合し、その登録が確認されると、あらかじめ設定されている特定の鍵保管ボックス１２の小扉１１を自動的に開いて鍵の出し入れができるようになっている。
【０００５】
また、このような鍵保管装置１０では、表示部１５に操作ガイダンスや履歴情報も表示できるようになっている。
【０００６】
また、このような鍵保管装置１０はビルや集合住宅等への入館を制限するために、出入口に入館用のカードリーダ２０が設置され、このカードリーダ２０と鍵保管装置１０とを通信線３０によって接続し、このカードリーダ２０の読取スリット２１にＩＤカードを挿入してＩＤカードに記憶されたＩＤコードを入力し、通信線３０を介して鍵保管装置１０にそのＩＤコードが入館可能なものかどうかを照会し、その結果を入館可能な場合にはカードリーダ２０は、電気錠４０を制御して出入口の扉５０を一定時間解錠することによってＩＤカード所有者の入館を許可している。
【０００７】
また、図１０に示すように、複数の出入口Ａ１，Ａ２，Ａ３，Ａ４が有るビルや集合住宅等では、各出入口Ａ１，Ａ２，Ａ３，Ａ４にカードリーダ２０Ａ，２０Ｂ，２０Ｃ，２０Ｄを設置し、これらのカードリーダ２０ａ，２０ｂ，２０ｃ，２０ｄを鍵保管装置１０ｃに通信線３０（図９参照）で接続している。
【０００８】
このようなカードリーダ２０は、ＩＤカードを読み取る読取スリット２１と、ＩＤカードのＩＤコードの照合がＯＫのとき点灯する緑色ＬＥＤ２２と、照合がＮＧのときに点灯する赤色ＬＥＤ２３とが設けられており、必要に応じて暗証コードを入力するようになっている。
【発明が解決しようとする課題】
【０００９】
ところが、このようなカードリーダ鍵管理システムでは、鍵保管装置１０の鍵保管ボックス１２に鍵が保管されているにもかかわらず、ＩＤカードを所有した者が、出入口でカードリーダ２０を操作し、入館した後に、鍵保管装置１０に自室の鍵が保管されているかどうかを確認せずに自室まで移動することがあり、自室の前まで移動してから自室の鍵が施錠されているのに気付いて一階に設置されている鍵保管装置１０まで鍵を取りに移動しなくてはならず不便であるという問題があった。
【００１０】
特に、図１０に示すように、複数の出入口Ａ１，Ａ２，Ａ３，Ａ４があるビルや集合住宅等では、鍵保管装置１０の前を通過せずに自室に移動することが可能なので、上記のような状態が生じやすいという問題があった。
【００１１】
本発明は、上記従来の問題を解消し、ビルや集合住宅等の利用者が自室まで移動するときに、鍵保管ボックス内の鍵を取り忘れることなく自室までスムーズに移動でき、自室の入口の扉の鍵を確実に解錠することができるカードリーダ鍵管理システムを提供することを目的としている。
【課題を解決するための手段】
【００１２】
本発明は、上記目的を達成するために提案されたものであって、請求項１のカードリーダ鍵管理システムは、ビル、集合住宅などの出入口の電気錠を施、解錠するカードリーダと、各室の入室用鍵を保管した鍵保管ボックスとを通信線で接続して構成されたカードリーダ鍵管理システムにおいて、上記カードリーダにＩＤコードを読取走査させ、ＩＤコードの登録を確認したときに、そのカードリーダから入室すべき室への進路途上に鍵保管ボックスが設置されていないときには、電気錠による解錠を禁止するようになっている。
【００１３】
請求項２のカードリーダ鍵管理システムは、請求項１において、上記カードリーダは、ＩＤカードを読取走査し、ＩＤコードの登録を確認して上記電気錠による解錠を禁止した後には、解錠操作指示手段を作動し、あるいは解錠操作を教示するメッセージを表示する構成となっている。
【００１４】
請求項３のカードリーダ鍵管理システムは、請求項２において、上記カードリーダは、ＩＤカードを読取走査し、ＩＤコードの登録を確認して電気錠による解錠を禁止した後には、音声メッセージによって電気錠を解錠させる操作手順を教示するようにしている。
【発明の実施の形態】
【００１５】
以下、本発明に係るカードリーダ鍵管理システムの実施の形態について、図を参照しつつ説明する。
【００１６】
尚、上述した従来例と同一部分には同一符号を付して説明する。
【００１７】
カードリーダ鍵管理システムは、図１に示すように、鍵保管ボックス１２を有する鍵保管装置１０と各カードリーダ２０とが通信線３０で接続され、各カードリーダ２０は各出入口の扉５０（図２参照）の電気錠４０と接続されている。
【００１８】
また、図２に示すように、鍵保管装置１０には、各々に小扉１１を設けた鍵保部が複数個設置した鍵保管ボックス１２を有しており、その側方に、カードリーダ部１３とテンキー等の操作部１４が設けられ、操作部１４の上方部には操作ガイダンスや履歴情報等を表示する表示部１５が配置されている。尚、符号１６はメンテナンス時等に操作部１４を開閉する扉１７の鍵である。
【００１９】
電気錠システムのカードリーダ２０は、図３に明示するように、ＩＤカードを読取スリット２１と、ＩＤカードのＩＤコードの照合がＯＫのとき点灯する緑色ＬＥＤ２２と、照合がＮＧのときに点灯する赤色ＬＥＤ２３と鍵状態表示用ＬＥＤ２４とを設けており、図２に示すように、出入口の扉５０を施、解錠するための電気錠４０に接続されている。
【００２０】
本発明で提案するシステムでは、カードリーダ２０にＩＤコードを読取走査させ、ＩＤコードの登録を確認したときに、図４に示すように、そのカードリーダ２０から入室すべき室への進路途上に鍵保管ボックス１２を有する鍵保管装置１０が設置されていないときには、電気錠４０による解錠を禁止するようにしている。
【００２１】
このシステムの操作手順と基本動作を図５のフローチャートを参照しつつ説明すると、入館者がＩＤカードをカードリーダ２０に挿入すると、このＩＤカードのＩＤコードが登録されたものであるかどうか判別され、登録されていない場合にはＮＧが表示され、登録されている場合にはＯＫと表示される。
【００２２】
ついで、入館者の建物内への進路途中に鍵保管ボックス１２が有るかどうかが判別され、鍵保管ボックス１２が無い場合には、電気錠４０は解錠されず、鍵保管ボックス１２がある場合には、電気錠４０が解錠され、出入口の扉５０を開くことが可能な状態となる（以上、ステップ１０１〜１０６参照）。
【００２３】
本発明で提案するシステムでは、カードリーダ２０は、ＩＤカードを読取走査し、ＩＤコードの登録を確認し、進路途中に鍵保管ボックス１２が無い場合には、電気錠４０による解錠を禁止するが、その後は、シークレットキーからなる解錠操作指示手段２５を作動して、これを点滅させて、押操作を促すか、あるいは解錠操作を教示するメッセージをＬＣＤからなる表示部２６に表示し、入室者には、進路途中に鍵保管ボックス１２の存在が無いことを暗示させる。
【００２４】
このシステムの操作手順と基本動作は図６のフローチャートのステップ２０１〜２０８に示されている。
【００２５】
入館者がＩＤカードをカードリーダ２０に挿入すると、このＩＤカードのＩＤコードが登録されたものであるかどうか判別され、登録されていない場合にはＮＧが表示され、登録されている場合にはＯＫと表示される。
【００２６】
次に、入館者の建物内への進路途中に鍵保管ボックス１２が有るかどうかが判別され、鍵保管ボックス１２が無い場合には、解錠操作を教示するメッセージが表示され、解錠操作が行われたかどうかが判別される。解錠操作がされない場合には電気錠４０は解錠されないが、解錠操作がなされた場合には電気錠４０が解錠されて出入口の扉５０を開く。
【００２７】
そして、電気錠４０の解錠が禁止されている場合、シークレットキーからなる解錠操作指示手段２５を作動して、これを点滅させて、押操作を促すか、あるいはＬＣＤからなる表示部２６に、例えば、「このままでは、電気錠は開きません。電気錠を開く場合には、再度テンキーを操作して、暗証コードを入力してからシークレットキーを操作して下さい。」等のメッセージを表示させる。
【００２８】
本発明で提案するシステムでは、カードリーダ２０にＩＤカードを読取走査させ、ＩＤコードの登録を確認したときに、カードリーダ２０は鍵保管ボックス１２に対して、そのＩＤコードに該当する入室鍵が鍵保管ボックス１２に保管されているかどうかを問い合わせ、その結果をＬＣＤからなる表示部２６に、鍵保管ボックスのＮＯと、小扉のＮＯ、どこの鍵保管ボックス、どの小扉に保管されているのか表示される。その後、電気錠４０を解錠する構成としている。
【００２９】
このシステムの操作手順と基本動作は、図７のフローチャートのステップ３０１〜３０７に示されている。
【００３０】
ＩＤカードをカードリーダ２０に挿入したかどうかが判別され、挿入されるとこのＩＤカードのＩＤコードが登録されたものであるかどうかが判別され、その結果、登録されてない場合にはＮＧ表示され、登録されている場合にはＯＫ表示がなされる。
【００３１】
ＯＫ表示がなされると、鍵保管ボックス１２に対して鍵が保管されているかどうか問合わされてその結果が、ＬＣＤからなる表示部２６に、例えば、「入室鍵は鍵保管ボックスに保管されておりません。ご注意下さい」とか、「入室鍵は鍵保管ボックスに保管されておりません。すでに入室されています。」等の表示、あるいは、「入室鍵は、エレベータ横の鍵保管ボックスＮＯ．１に保管されております。小扉はＮＯ．５５です」等の入室鍵の保管情報のメッセージが表示される。このように表示された後に、電気錠４０が解錠されて出入口の扉５０を開くことが可能な状態となる。
【００３２】
本発明で提案するシステムでは、カードリーダ２０にＩＤカードを読取走査させ、ＩＤコードの登録を確認したときに、カートリーダ２０は鍵保管ボックス１２に対して、そのＩＤコードに該当する入室鍵が鍵保管ボックス１２に保管されているかどうかを問い合わせ、その結果を音声メッセージで出力した後、電気錠４０を解錠する構成としている。
【００３３】
このシステムの操作手順と基本動作は図８のフローチャートのステップ４０１〜４０７に示されている。
【００３４】
ＩＤカードをカードリーダ２０に挿入したかどうかが判別され、挿入されるとこのＩＤカードのＩＤコードが登録されたものであるかどうかが判別され、登録されてない場合にはＮＧ表示され、登録されている場合にはＯＫ表示がなされる。
【００３５】
ＯＫ表示がなされると、鍵保管ボックス１２に対して鍵が保管されているかどうか問合わされて、その結果を、ＬＣＤからなる表示部２６に、例えば、「入室鍵は鍵保管ボックスに保管されておりません。ご注意下さい」とか、「入室鍵は鍵保管ボックスに保管されておりません。すでに入室されています。」等の表示か、あるいは、「入室鍵は、エレベータ横の鍵保管ボックスＮＯ．１に保管されております。小扉はＮＯ．５５です」等の入室鍵の保管情報の音声メッセージが出力される。  このように出力された後に、電気錠４０解錠されて出入口の扉５０を開くことが可能な状態となる。
【発明の効果】
【００３６】
以上説明したように、請求項１のカードリーダ鍵管理システムによれば、カードリーダにＩＤコードを読取走査させ、ＩＤコードの登録を確認しても、そのカードリーダから入室すべき室への進路途上に鍵保管ボックスが設置されていないときには、電気錠による解錠を禁止するようにしているので、入室すべき室への進路途上に鍵保管ボックスが設置されているカードリーダからの入室が可能となる。このため、出入口から建物内に入った者が、入室鍵を持たないままで自室に入室しようとする行為を未然に防止できる。
【００３７】
請求項２のカードリーダ鍵管理システムによれば、カードリーダは、ＩＤカードを読取走査し、ＩＤコードの登録を確認しても電気錠だけでは解錠されず、解錠操作指示手段を作動し、あるいは解錠操作を教示するメッセージを表示する構成としているので、この表示に基づいて解錠操作をさせてから入室を許可するので、入室者には、進路途中に錠保管ボックスの存在が無いことを暗示することができる。
【００３８】
請求項３のカードリーダ鍵管理システムによれば、カードリーダでＩＤカードを読取走査し、ＩＤコードの登録を確認して電気錠を解錠させる際に、その操作手順を音声メッセージによって確認することができる。
【図面の簡単な説明】
【図１】本発明に係るカードリーダ鍵管理システムの実施の形態の構造を示すブロック図である。
【図２】カードリーダ鍵管理システムの正面説明図である。
【図３】カードリーダ鍵管理システムにおけるカードリーダの正面図である。
【図４】カードリーダ鍵管理システムにおける入館状態を示す説明図である。
【図５】本発明に提案したシステムの基本の操作手順を示すフローチャートである。
【図６】本発明に提案したシステムの基本の操作手順を示すフローチャートである。
【図７】本発明に提案したシステムの基本の操作手順を示すフローチャートである。
【図８】本発明に提案したシステムの基本の操作手順を示すフローチャートである。
【図９】従来のカードリーダ鍵管理システムの正面説明図である。
【図１０】従来のカードリーダ鍵管理システムにおける入館状態を示す説明図である。
【符号の説明】
１２          鍵保管ボックス
２０          カードリーダ
３０          通信線
４０          電気錠
【図１】
0003629829.tif 000002
【図２】
0003629829.tif 000003
【図３】
0003629829.tif 000004
【図４】
0003629829.tif 000005
【図５】
0003629829.tif 000006
【図６】
0003629829.tif 000007
【図７】
0003629829.tif 000008
【図８】
0003629829.tif 000009
【図９】
0003629829.tif 000010
【図１０】
0003629829.tif 000011